(57)【要約】【課題】カメラ撮影の際に他人の誤解を招いたり、不要な警戒心を抱かせることがなく、しかも携帯電話モードとカメラモードとの双方について使い勝手の良いカメラ付き携帯電話装置を提供する。【解決手段】画像を撮影する撮像部４と、この撮像部４の撮像用レンズを保護する開閉可能なレンズカバーと、このレンズカバーの開閉を検出する検出部５と、各種機能設定がされた複数のモード設定情報を記憶したメモリ７と、検出部５がレンズカバーが開いたことを検出するとメモリ７に記憶された複数のモード設定のうち、予め選択されたモード設定に切り換える制御部８とを備えた。【選択図】図１
2006135996.tif 000002
【特許請求の範囲】
【請求項１】
本体と、
前記本体に設けられた表示部と、
前記本体の前記表示部が設けられた面に設けられた操作部と、
前記本体の前記表示部が設けられた面の背面に設けられた、画像を撮影する撮像部と、
前記本体の前記撮像部が設けられた面に設けられた、前記撮像部の撮像用レンズを覆い隠す開閉可能なレンズカバーと、
前記レンズカバーが開放されたときカメラモードになり、前記レンズカバーが閉じられたとき携帯電話モードになるように制御する制御部と、
を備えたカメラ付き携帯電話装置。
【請求項２】
本体と、
前記本体に設けられた表示部と、
前記本体の前記表示部が設けられた面及び前記本体の側面に設けられた操作部と、
前記本体の前記表示部が設けられた面の背面に設けられた、画像を撮影する撮像部と、
前記撮像部の撮像用レンズを覆い隠す開閉可能なレンズカバーと、
前記レンズカバーが開放されたときカメラモードになり、閉じられたとき携帯電話モードになるように制御する制御部と、
を備え、
前記カメラモードにおいて、前記側面に設けられた操作部は、シャッターキーとして機能するカメラ付き携帯電話装置。
【請求項３】
本体と、
前記本体に設けられた表示部と、
前記本体の前記表示部が設けられた面及び前記本体の側面に設けられた操作部と、
前記本体の前記表示部が設けられた面の背面に設けられた、画像を撮影する撮像部と、
前記撮像部の撮像用レンズを覆い隠す開閉可能なレンズカバーと、
前記レンズカバーが開放されたときカメラモードになり、閉じられたとき携帯電話モードになるように制御する制御部と、
を備え、
前記制御部は、前記カメラモードの場合、少なくとも前記本体の側面に設けられた操作部をシャッターキーとして機能させ、前記携帯電話モードの場合、前記本体の前記表示部が設けられた面及び前記本体の側面に設けられた操作部を携帯電話操作の機能に設定することを特徴とするカメラ付き携帯電話装置。
【発明の詳細な説明】
【技術分野】
【０００１】
この発明は、カメラ付き携帯電話機に係り、特にそのカメラで撮像した映像を携帯電話装置内に設けたＲＡＭ、ＩＣカードなどに登録することが可能なカメラ付き携帯電話装置に関するものである。
【背景技術】
【０００２】
最近、カメラを有する携帯電話装置（以下、カメラ付き携帯電話機とよぶ）により撮像した画像を登録し、この登録した画像を表示部の待受け画面として利用したり、この画像をカメラ付き携帯電話機で他へ伝送したりするものが開発されてきている。
【発明の開示】
【発明が解決しようとする課題】
【０００３】
しかしながら、通常、このカメラ付き携帯電話機にあっては、カメラのレンズ部分が常時剥き出し状態になっているため、例えばカメラとしてではなく携帯電話として使用しているときであっても、他人からみると、携帯電話機として使用しているのか、カメラとして使用しているのかがわかりにくかった。
【０００４】
このため、例えば、携帯電話として使用しているかのように装って、他人を密かに撮影することも可能であり、他人に対して不要な警戒心を抱かせたり、誤解を招くおそれがあり、カメラとして使用するのに問題があった。
【０００５】
また、このカメラ付き携帯電話機にあっては、携帯電話として使用する携帯電話機能（携帯電話モード）と、カメラとして使用するカメラ機能（カメラモード）との双方を有するので、使い方によっては、非常に有効なものである。ところが、これを使用する使用者が、例えば、携帯電話モードからカメラモードへの切換え操作を行う場合、その切換え操作が面倒なために時間を要すると、撮影する際に折角のタイミングを逸する場合もある。また、操作ボタンを間違えたり、うっかりしていて、撮影したつもりで、実際には撮影されていなかった、というような不都合を生じる虞もある。
【０００６】
さらには、例えば、カメラモードで撮影中に着信の知らせが入った場合、その場の状況に応じて撮影画像の取り込み動作や通話動作の取り扱いをどのように行ったらよいかなど、使い分け・使い勝手のよい処理・設定を行うことができるカメラ付き携帯電話機の開発が望まれている。
【０００７】
そこで、本願発明は、上記した事情に鑑み、カメラ撮影の際に他人の誤解を招いたり、不要な警戒心を抱かせることがなく、しかも携帯電話モードとカメラモードとの双方について使い勝手の良いカメラ付き携帯電話装置を提供することを目的とするものである。
【課題を解決するための手段】
【０００８】
本体と、前記本体に設けられた表示部と、前記本体の前記表示部が設けられた面に設けられた操作部と、前記本体の前記表示部が設けられた面の背面に設けられた、画像を撮影する撮像部と、前記本体の前記撮像部が設けられた面に設けられた、前記撮像部の撮像用レンズを覆い隠す開閉可能なレンズカバーと、前記レンズカバーが開放されたときカメラモードになり、前記レンズカバーが閉じられたとき携帯電話モードになるように制御する制御部と、を備えたことを特徴としている。
【０００９】
これにより、レンズカバーの開閉状態を直接目で確認することで、誰でも撮影中であるか否かを確認することができ、カメラ撮影の際に他人の誤解を招いたり、不要な警戒心を抱かせる、といったことを防止できる。
【００１０】
また、本体と、前記本体に設けられた表示部と、前記本体の前記表示部が設けられた面及び前記本体の側面に設けられた操作部と、前記本体の前記表示部が設けられた面の背面に設けられた、画像を撮影する撮像部と、前記撮像部の撮像用レンズを覆い隠す開閉可能なレンズカバーと、前記レンズカバーが開放されたときカメラモードになり、閉じられたとき携帯電話モードになるように制御する制御部と、を備え、前記カメラモードにおいて、前記側面に設けられた操作部は、シャッターキーとして機能することを特徴とする。
【００１１】
これにより、各モード機能の変更をレンズカバーの開閉動作に連動させることができるので、切換え操作を使用者が行う必要がなく、使い勝手が向上する。
【００１２】
また、本体と、前記本体に設けられた表示部と、前記本体の前記表示部が設けられた面及び前記本体の側面に設けられた操作部と、前記本体の前記表示部が設けられた面の背面に設けられた、画像を撮影する撮像部と、前記撮像部の撮像用レンズを覆い隠す開閉可能なレンズカバーと、前記レンズカバーが開放されたときカメラモードになり、閉じられたとき携帯電話モードになるように制御する制御部と、を備え、前記制御部は、前記カメラモードの場合、少なくとも前記本体の側面に設けられた操作部をシャッターキーとして機能させ、前記携帯電話モードの場合、前記本体の前記表示部が設けられた面及び前記本体の側面に設けられた操作部を携帯電話操作の機能に設定することを特徴とする。
【００１３】
これにより、各モード機能の変更をレンズカバーの開閉動作に連動させることができるので、切換え操作を使用者が行う必要がなく、使い勝手が向上する。
【発明の効果】
【００１４】
この発明によれば、撮像部と、撮像用レンズを保護する開閉可能なレンズカバーと、このレンズカバーの開閉を検出する検出手段と、検出手段がレンズカバーが開いたことを検出すると、予め選択されたモード設定に切り換える制御部とを備えており、レンズカバーを開いた状態で撮影するので、他人はこのレンズカバーが開いている状態を見て、撮影中であることを確認することができる。従って、例えば、自分の知らないときにカメラ撮影されているのではないか、といった他人の誤解を招いたり、不要な警戒心を抱かせるなどの虞がなく、安心して使用することができる。
【発明を実施するための最良の形態】
【００１５】
以下、この発明に係る実施の形態について、添付図面を参照しながら詳細に説明する。
【００１６】
図１は、この発明のカメラ付き携帯電話装置が適用されたカメラ付き携帯電話機を示すものであり、この実施形態に係るカメラ付き携帯電話機１は、表示部１５と、操作部１６と、送話部２と、受話部３との他に、撮像部４と、この撮像部４に設けたレンズカバー４１と、このレンズカバー４１の開閉状態を検出する検出部（検出手段）５と、ランプ６と、メモリ７と、制御部８と、電源部９などとを備えている。
【００１７】
表示部１５には、携帯電話モードとして設定している場合には、通常の携帯待受画面などが表示される。一方、カメラモードとして設定されている場合には、カメラで撮像しようとする画像及び仮保存した撮像画面が表示することができるようになっている。さらに、この表示部１５には、後述する画像の仮保存中には、この仮保存された画像を登録するか消去するか、といった問い合わせについても、表示されるようになっている。
【００１８】
なお、このカメラモードの設定時には、既に撮影済みの撮像画面も自由に検索・表示できるように構成したり、過去に撮影済みの撮像画像を撮影順にまとめて複数表示するように構成してもよい。また、この表示部１５に表示する画像は、携帯電話モードの場合には、通常の縦向き（筐体１０の長手方向を上下方向に向ける）状態での表示であるが、カメラモードの場合には、図３（Ａ）に示すように、横向き（筐体１０の短手方向を上下方向に向ける）状態での画面表示も可能になっている。
【００１９】
一方、操作部１６には、例えば図３に示すように、携帯電話モードの設定時に、通常の携帯電話機能としての操作に使用する各キーやボタンが設けられており、その中で、特定のキー１６Ａ、１６Ｂはそれぞれカメラモード設定時にシャッターキー及び仮保存した画像の取消しのための取消しキーとして作用するように構成されている。このシャッターキー１６Ａ、取消しキー１６Ｂは、主に自分自身を撮影するときに使用する。
【００２０】
また、専用のシャッターキー１６Ｃ、取消しキー１６Ｄは、それぞれ携帯電話機の筐体１０の側面部分に設けられており、主にカメラを横向きにして前方を撮影する場合に使用する。これらのシャッターキー１６Ａ、取消しキー１６Ｂ、及びシャッターキー１６Ｃ、取消しキー１６Ｄは、いずれか使いやすい方のものを自由に選択して使用できるように構成されている。
【００２１】
送話部２では、例えばコンデンサマイク２１などから使用者の発する音声が、このマイク２１を介して音声信号に変換された後、音声コーデック１１、チャネルコーデック１２、変調部２２を介して送信部２３へ出力され、ＳＷＩＣ１３によりダイバーシティアンテナ１４から通話相手へ送信される。
【００２２】
一方、受話部３では、通話相手からの送信信号を前述のダイバーシティアンテナ１４を介してＳＷＩＣ１３により受信部３１で受信すると、復調部３２、チャネルコーデック１２、音声コーデック１１を介して通話相手の音声がレシーバ３３やスピーカ３４などから聞き取れるように構成されている。
【００２３】
撮像部４は、図２に示すように、表示部１５や操作部１６を設けた前面側とは反対の背面側に結像レンズ４２を設けており、撮影した映像がこの結像レンズ４２を介してＣＣＤなどの撮像素子４３に結像するようになっている。また、この実施形態の撮像部４では、先述したシャッターキー１６Ａ、１６Ｃを１度押下した後、再度シャッターキー１６Ａ、１６Ｃを押下することで撮像画像がメモリ７に記憶される。
【００２４】
また、この撮像部４には、結像レンズ４２を外部から保護するとともに、現在撮影中若しくは撮影可能な状態（カメラモード）であることをこの近傍にいる他人を含む撮影相手などの第３者に知らせるため、結像レンズ４２を外部に向けて開放したり閉鎖させるためのレンズカバー４１を備えている。
【００２５】
なお、この実施形態では、撮像画像をメモリ７に登録する場合には、シャッターキー１６Ａ、１６Ｃを２度押下するように構成したが、例えば、最初にシャッターキー１６Ａ、１６Ｃを１回押下して仮保存させたのち、次にシャッターキー１６Ａ、１６Ｃを再度押下して登録させるようにしてもよい。
【００２６】
このレンズカバー４１は、手動操作でこのカメラ付き携帯電話機１の筐体１０の長手方向に平行に（図２では上下方向に）スライド可能に構成されている。また、このレンズカバー４１及び筐体１０には、所定の閉鎖位置及び開放位置までレンズカバー４１を移動させると、磁気センサにて開閉状態を検出し、検出信号を制御部８へ出力するための検出部５を設けている。
【００２７】
メモリ７は、撮像部４で撮像した画像を登録しておくためのものであり、この実施形態では、制御部８により静止画像のみを登録させているが、動画像を登録するように構成してもよい。また、このメモリ７は、携帯電話モード及びカメラモードのいずれにおいても、使用者によって設定・選択すべき複数のモードをメモリ7に登録・記憶するようになっており、例えばこの実施形態では、それぞれ、次の４種類の補助モード（以下、これを４種モードとよぶ）が記憶・設定されている。
【００２８】
（I）カメラモードで、かつ、発信及び着信禁止（以下、発着信禁止）（圏外）
モード（以下、これを第１モードとよぶ）：
＜着信の場合＞
着信禁止設定のため、着信は受け付けず、カメラモードのままである。
＜発信の場合＞
操作部１６のキー操作では携帯電話モードに移行しない。発信する場合には、レンズカバー４１を閉じて携帯電話モードにしてから行なう。
【００２９】
（II）カメラモードで、かつ、着信禁止（カメラ専用）モード（以下、これを第２モードとよぶ）：
＜着信の場合＞
着信禁止設定のため、着信は受け付けず、カメラモードのままである。
＜発信の場合＞
(1) 数字キー操作、又は電話番号検索操作があると、携帯電話モードに自動的に移行する。（レンズカバー４１は、開いたままである）
(2) 取消キーを押すか、通話が終了すると、自動的にカメラモードに戻る。
(3) カメラモードに戻ると、仮保存中の画像データがあるか否かを検出する。
(4) 仮保存中の映像データをメモリ７に登録するか否かの問合わせ画面を表示する。
(5) 利用者のキー操作により、仮保存した映像データをメモリ７に登録するか、消去するかの選択を行なう。
【００３０】
（III）カメラモードで、かつ、マナーモード（以下、これを第３モードとよぶ）：
＜着信の場合＞
(1) 着信があっても、携帯電話モードに移行せずにカメラモードのままである。
(2) 取消キーを押すか、通話が終了すると自動的にカメラモードに戻る。
(3) カメラモードに戻ると、仮保存中の画像データがあるか否かを検出する。
(4) 相手先に伝言を録音するよう促すガイダンスを自動的に流す。
(5) 相手先の伝言をメモリ７に登録する。
＜発信の場合＞
着信禁止モード設定の場合と同様である。
【００３１】
（IV）カメラモードで、かつ、通常モード（以下、これを第４モードとよぶ）：
＜着信の場合＞
(1) 着信があると、携帯電話モードに自動的に移行し、着信ボタン等を押すことで通話することができる。（レンズカバー４１は開いたままである。）
(2) 通話が終了すると、カメラモードに自動的に戻る。
(3) カメラモードに戻ると、仮保存中の画像データがあるか否かを検出する。
(4) 仮保存中の映像データをメモリ７に登録するか否かの問合わせ画面を表示する。
(5) 利用者のキー操作により、仮保存した映像データをメモリ７に登録するか、消去するかを行なう。
＜発信の場合＞
着信禁止モード設定の場合と同様である。
【００３２】
制御部８は、レンズカバー４１の開閉に応じて設定モードを自動的に切り替えるように構成されている。例えば、検出部５がレンズカバー４１が開いたことを検出すると、カメラモードとなる。また、このカメラモードになると、通常は、つまり、使用者が特に設定モードを切替えない限り、メモリ７に記憶された前述の４種モードのうち、予め選択・設定されていた設定モードに切り換わるように、設定モードを制御している。
【００３３】
同様に、この制御部８は、検出部５がレンズカバー４１が閉じたことを検出したときには、携帯電話モードとなる。また、この携帯電話モードになると、カメラモードと同様に、メモリ７に記憶された前述の４種モードのうち、予め選択・設定されていたモード設定に切り換えるようになっている。なお、このモード設定を格別に選択していない場合には、通常モードが設定されるようになっている。
【００３４】
また、この制御部８は、レンズカバー４１が開いて携帯電話モードからカメラモードに切り換わると、携帯電話モードで使用するキーの役割（機能）をカメラモードで使用するキーの役割（機能）に切り換えるように構成されている。また、逆に、レンズカバー４１が閉じてカメラモードから携帯電話モードに切り換わると、通常の携帯電話モードで使用するキーの役割（機能）に戻すように構成されている。
【００３５】
さらに、この制御部８は、カメラモード中に仮保存した画像の有無を検索し、仮保存した画像がある場合には、表示部１５上で、使用者にこの画像の登録の要否を通知する画面を表示し、この画面上で使用者の選択操作により上記仮保存の画像データの登録或いは消去を行なうための指示を出すように構成されている。
【００３６】
また、この制御部８は、前述した４種モードのうち第３モードや第４モードが設定されている場合には、撮像画像が仮保存されたところで、第３者からの着信があると、撮影動作を中断して優先的に、かつ、一時的に、通話動作を行うように構成されている。
【００３７】
次に、この実施形態の携帯電話装置の各モードについて説明する。
（Ａ）カメラモード：
この場合には、レンズカバー４１を手で開けば、これを検出部５が検出して制御部８がカメラモードを設定するので、撮影しようとする対象に筐体１０及びレンズ４２の向きを調整すると、そのときの画像が表示部１５に表示される。そこで、使用者がシャッタボタン１６Ｂをオンすると、所望の画像を撮影してメモリ７に登録させることができる。
（Ｂ）携帯電話モード：
この場合には、レンズカバー４１が閉じれば、これを検出部５で検出して、制御部８が操作部１６の各キーやボタンを通常の携帯電話操作の場合と同様の機能に設定するので、操作部１６の各キーやボタンを操作して携帯電話として使用することができる。
【００３８】
次に、この実施形態の携帯電話装置の作用について、図４に示すフローチャートを参照しながら説明する。
【００３９】
なお、ここでは、予め、携帯電話モード及びカメラモードにおいて、それぞれ優先して自動的に設定すべきモードを前述した第１モード〜第４モードの４種モードの中から適宜選択して、操作部１６のモード設定キーにより、登録しておく。
【００４０】
まず、上記のように予めモード設定をしておく（ステップＳ１）。このモード設定は、レンズカバー４１の開、閉に関係なく、いつでも行うことができる。この状態で、レンズカバー４１が開かあるいは閉かを判断する（ステップＳ２）。そして、レンズカバー４１が開の場合はカメラモードとなり、ステップＳ１０以降に進む。一方、レンズカバー４１が閉の場合は電話モードとなり、ステップＳ２１以降に進む。
【００４１】
ここで、カメラモードとは、特定のキーがカメラに必要なキーとして動作可能になり、カメラが動作開始する状態をいう。まだこの状態では、シャッターを切ることはできないようになっている。
【００４２】
シャッターキー１６Ａ、１６Ｃは、２段タイプの押圧キーとなっており、第１段では、画像の仮保存状態、すなわち、カメラで撮影されている動画が、その瞬間の静止画としてレジスタなどに仮保存されることになる。第２段では、仮保存された画像がメモリ７に正規に登録、保存されるようになっている。一気に第１段、第２段と操作すれば、上記動作が素早く行われ、最終的にメモリ７に正規にその瞬間の画像が登録、保存される。
【００４３】
ステップＳ１０でカメラモードになると、次に仮保存の画像があるかどうかの判断が行われる（ステップＳ１１）。仮保存の画像がなければ、ステップＳ１５に進んで直ちにカメラ撮影可能状態、すなわち、シャッターを切って撮影を行うことができるようになる。一方、仮保存の画像がある場合は、その画像を保存するかどうかの問合わせ画面が現れ、画像を保存するかの判断がなされる（ステップＳ１２）。
【００４４】
画像保存の問合わせ画面にしたがって、保存する旨の入力を行うと、仮保存された画像がメモリに記憶されて保存され（ステップＳ１３）、ステップＳ１５のカメラ撮影可能状態になる。一方、保存しない旨の入力を行うと、仮保存の画像が消去され（ステップＳ１４）、ステップＳ１５のカメラ撮影可能状態になる。なおここで、保存しない旨の入力を行った場合に、仮保存の画像を消去せずにそのまま置いておくことも可能である。カメラ撮影のためにシャッターを操作し、レジスタにその瞬間の画像を仮保存した場合、先に仮保存していた画像は順に消去される。仮保存される画像の数は、原則１枚で十分であるが、複数枚仮保存できるようにし、古いものから消去してその上に上書きするようにすることも可能である。
【００４５】
ステップＳ１５でカメラ撮影可能状態となると、予め設定された設定モードがいずれの補助モードであるかの判断を行い（ステップＳ１６）、モード設定にしたがってステップＳ１７〜Ｓ２０のいずれかの処理を行う。本実施形態では、カメラ撮影可能状態になったとしても、モード設定にしたがって４つの状態で携帯電話機能が動作するように構成されている。すなわち、設定されたモードが１、２、３、４のいずれかによって、以下に示す第１モード〜第４モードの４つのモードで携帯電話機能が優先的に動作する。
【００４６】
第１モード（ステップＳ１７）
発信、着信共に禁止の状態である。すなわち、この状態では、電話機能を一切発揮させることができないようになる。着信があっても無視し、発信しようとしてもできない状態となっている。どうしても電話機能を発揮したい場合は、モード設定をやり直すか、あるいは、レンズカバー４１を閉にする必要がある。
【００４７】
第２モード（ステップＳ１８）
発信は可能であるが、着信は禁止の状態である。発信は任意のタイミングでテンキーなどを操作して行うことができる。発信して相手と通話中であっても、カメラによる撮影は可能であり、撮影した画像を相手に伝送することができる。なお、通話中は撮影不可にし、通話終了後、撮影可能状態に戻すようにすることも可能である。
【００４８】
第３モード（ステップＳ１９）
発信は可能であり、着信はマナーモードのみ可能な状態である。発信は第２モードと同様にテンキーなどを操作して行うことができる。ここで、マナーモードとは、通常、消音状態とし、呼出音に代えてバイブレータで着信を知らせるモードのことである。また、例えば、マイクの感度を通常より上げて小さな声で通話ができるようになっていたり、応答しないで放っておくと留守番応答用のメッセージが送信され、いわゆる留守番電話としての機能を持つようにした場合など、種々の設定が考えられる。なお、第２モードと同様、通話中であってもカメラによる撮影は可能である。
【００４９】
第４モード（ステップＳ２０）
発信、着信共に可能な状態である。カメラ撮影中であっても、発信、着信共に優先して動作可能になる。第２モード及び第３モードと同様に、発信して相手と通話中であってもカメラによる撮影は可能であり、撮影した画像を相手に伝送することができる。
【００５０】
着信の場合も、発信と同様に動作させることができる。着信があれば呼出音が鳴る。オフフックキーなどを操作して着信に応答すると通話可能となる。通話中にカメラで撮影した画像を伝送することもできる。なお、通話中は撮影不可にし、通話終了後、撮影可能状態に戻すようにしてもよい。つまり、通話が終了して回線が開放されると、カメラ撮影可能な状態に戻るようになっていれば、いずれの動作でも構わない。
【００５１】
ステップＳ２でレンズカバー４１が閉である場合は、ステップＳ２１に移り、カメラの使用が不可能である電話モードになる。この場合、レンズカバー４１が開から閉になったか、すなわち、レンズカバー４１が閉になる前に開状態であったかどうかを確認する（ステップＳ２２）。以前にレンズカバー４１が開であった場合は、仮保存の画像が残っている可能性があるので、仮保存の画像があるかどうかを確認する（ステップＳ２３）。
【００５２】
そして、仮保存の画像がある場合は、その画像を保存するかどうかの問合わせ画面が現れ、画像を保存するかの判断がなされる（ステップＳ２４）。画像保存の問合わせ画面にしたがって、保存する旨の入力を行うと、仮保存された画像がメモリに記憶されて保存される（ステップＳ２５）。一方、保存しない旨の入力を行うと、仮保存の画像が消去される（ステップＳ２６）。そして、最終的に、ステップＳ２７の発信、着信共に可能な状態に移行する。この状態では、カメラは動作しないが、メモリに登録された画像を読み出して通話中に相手に伝送することができるようにすることも可能である。
【００５３】
上記の動作において、モードを変更したい場合は、いつでもモード設定のステップに戻って設定モードを変更することができる。また、レンズカバー４１を任意に開閉することによって、カメラモードと電話モードとを任意に変更することができる。
【産業上の利用可能性】
【００５４】
以上説明してきたように、この発明によれば、撮像部と、撮像用レンズを保護する開閉可能なレンズカバーと、このレンズカバーの開閉を検出する検出手段と、検出手段がレンズカバーが開いたことを検出すると、予め選択されたモード設定に切り換える制御部とを備えており、レンズカバーを開いた状態で撮影するので、他人はこのレンズカバーが開いている状態を見て、撮影中であることを確認することができる。従って、例えば、自分の知らないときにカメラ撮影されているのではないか、といった他人の誤解を招いたり、不要な警戒心を抱かせるなどの虞がなく、安心して使用することができる。
【図面の簡単な説明】
【００５５】
【図１】この発明の一実施形態に係るカメラ付き携帯電話機の電気的構成を示すブロック図である。
【図２】この実施形態に係るカメラ付き携帯電話機を示すものであり、（Ａ）はレンズカバーを閉じたとき、（Ｂ）はレンズカバーを開いた状態を示す背面図である。
【図３】（Ａ）はこの実施形態に係るカメラ付き携帯電話機を示す正面図、（Ｂ）は側面図である。
【図４】この実施形態に係るカメラ付き携帯電話機の作用を示すフローチャートである。
【符号の説明】
【００５６】
１      カメラ付き携帯電話機
１０    筐体
１１    音声コーデック
１２    チャネルコーデック
１３    ＳＷＩＣ
１４    ダイバーシティアンテナ
１５    表示部
１６    操作部
１６Ａ，１６Ｃ  シャッターキー
１６Ｂ，１６Ｄ  取消しキー
２      送話部
２１    マイク
２２    変調部
２３    送信部
３      受話部
３１    受信部
３２    復調部
３３    レシーバ
３４    スピーカ
４      撮像部
４１    レンズカバー
４１Ａ  確認窓
４２    結像レンズ
４３    撮像素子
５      検出部（検出手段）
６      ランプ
７      メモリ
８      制御部
９      給電部
【図１】
2006135996.tif 000003
【図２】
2006135996.tif 000004
【図３】
2006135996.tif 000005
【図４】
2006135996.tif 000006